(57)【要約】【課題】衛生面及び利便性の向上を図ることのできるリュックサックを提供すること。【解決手段】使用者の背中に接する後壁部９の前方に、前後に分かれた二つのルーム５，６を有し、一方のルームである薄型ルーム６は、該薄型ルーム６の周囲に沿って設けられたファスナー１２により、該薄型ルーム６を構成する前側壁１１と後側壁９とを二枚貝状に開くことが可能であり、かつ、他方のルームである厚型ルーム５より前後幅が小さくなるように構成され、前記薄型ルーム６内には、取出し口付き包装体入りシートを収容するための穴あきポケット１３が設けられ、該穴あきポケット１３を構成する互いに離間可能な手前側部１４及び奥側部１５のうち、手前側部１４に、該穴あきポケット１３に収容した前記取出し口付き包装体入りシートの該取出し口を露出させるための穴１６が設けられている。【選択図】図１２
2020080903.tif 000002
【特許請求の範囲】
【請求項１】
使用者の背中に接する後壁部の前方に、前後に分かれた二つのルームを有し、
一方のルームである薄型ルームは、該薄型ルームの周囲に沿って設けられたファスナーにより、該薄型ルームを構成する前側壁と後側壁とを二枚貝状に開くことが可能であり、かつ、他方のルームである厚型ルームより前後幅が小さくなるように構成され、
前記薄型ルーム内には、取出し口付き包装体入りシートを収容するための穴あきポケットが設けられ、該穴あきポケットを構成する互いに離間可能な手前側部及び奥側部のうち、手前側部に、該穴あきポケットに収容した前記取出し口付き包装体入りシートの該取出し口を露出させるための穴が設けられていることを特徴とするリュックサック。
【請求項２】
前記薄型ルーム内には前記穴あきポケットの他に二つの収容部が設けられ、少なくとも一方の収容部は開閉自在であり、かつ内面に防水性が付与されている請求項１に記載のリュックサック。
【請求項３】
前記後壁部に、保冷剤又はカイロを出し入れ自在な温調用ポケットが設けられている請求項１または２に記載のリュックサック。
【請求項４】
前記薄型ルームは、前記後壁部から該後壁部の前方にある仕切り壁部まで延び、
前記厚型ルームは、前記薄型ルームの前方に配され、
前記穴あきポケットと前記温調用ポケットとは、背面視において少なくとも一部が重なるように配されている請求項３に記載のリュックサック。
【請求項５】
前記穴あきポケットは前記仕切り壁部の後面に設けられている請求項４に記載のリュックサック。
【請求項６】
前記穴あきポケットの前記奥側部に一端側が接続され、他端側に連結部が設けられた抜け止め片と、
前記穴あきポケットの前記手前側部に設けられ、前記連結部が着脱可能に連結される被連結部とを有する請求項１〜５の何れか一項に記載のリュックサック。
【請求項７】
前記穴あきポケットは、上方に開放され、かつ、前記薄型ルームの上部に設けられている請求項１〜６の何れか一項に記載のリュックサック。
【請求項８】
前記厚型ルームの下方に、下層ルームが設けられている請求項１〜７の何れか一項に記載のリュックサック。
【請求項９】
前記厚型ルームの左右の何れか一方又は両方の内外下部に、哺乳瓶やペットボトル等の筒状体を上側から差し込んで縦向きに収容可能なサイドポケットが設けられている請求項１〜８の何れか一項に記載のリュックサック。
【請求項１０】
二本の肩ベルトのそれぞれ表面に、係止用の環状部材が設けられている請求項１〜９の何れか一項に記載のリュックサック。
【発明の詳細な説明】
【技術分野】
【０００１】
本発明は、例えば、水やアルコール、薬液等を含浸させた複数枚の湿潤シートを乾燥しないように包装し、開閉可能な取出し口を有する包装体ないし包装体入りシート、育児用具等の収容に好適なリュックサックに関する。
【背景技術】
【０００２】
おむつや哺乳瓶等を収容することを考慮して構成されたリュックサックは公知である。例えば、特許文献１のリュックサックには、哺乳瓶専用袋、おむつ専用袋、ティッシュペーパーの収納袋、ウェットティッシュを掛ける掛止バンド等が設けられている。
【０００３】
斯かるリュックサックでは、出し入れを繰り返しても、各々物の収納する箇所は常に決まっているため、規則正しく整理できる、とされている。
【先行技術文献】
【特許文献】
【０００４】
【特許文献１】特開平８−２７５８２４号公報
【発明の概要】
【発明が解決しようとする課題】
【０００５】
しかし、上記従来のリュックサックでは、主としておむつ替えで用いる用具と、それ以外の哺乳瓶等の用具とを同じ収容スペースに収容しているため、衛生面で懸念がある。すなわち、おむつ替えのときに手指等が汚れると、その汚れが例えばウェットティッシュの包装体やその周囲にも付着し、さらにはこれらの用具と同じ収容スペース内に収容された哺乳瓶等の他の用具にまで付着してしまう恐れがある。
【０００６】
また、上記従来のリュックサックでは、背面部と前面部とを大きく開かなければウェットティッシュを簡単に取り出せないが、そのように大きく開いた状態にしたリュックサックを自立させることはできず、その際には広いスペースが必要となる。しかし、外出先でそのような広いスペースを確保するのは困難であることも多く、この点で利便性に欠けるという問題がある。
【０００７】
本発明は上述の事柄に留意してなされたもので、その目的は、衛生面及び利便性の向上を図ることのできるリュックサックを提供することにある。
【課題を解決するための手段】
【０００８】
上記目的を達成するために、本発明に係るリュックサックは、使用者の背中に接する後壁部の前方に、前後に分かれた二つのルームを有し、一方のルームである薄型ルームは、該薄型ルームの周囲に沿って設けられたファスナーにより、該薄型ルームを構成する前側壁と後側壁とを二枚貝状に開くことが可能であり、かつ、他方のルームである厚型ルームより前後幅が小さくなるように構成され、前記薄型ルーム内には、取出し口付き包装体入りシートを収容するための穴あきポケットが設けられ、該穴あきポケットを構成する互いに離間可能な手前側部及び奥側部のうち、手前側部に、該穴あきポケットに収容した前記取出し口付き包装体入りシートの該取出し口を露出させるための穴が設けられている（請求項１）。
【０００９】
上記リュックサックにおいて、前記薄型ルーム内には前記穴あきポケットの他に二つの収容部が設けられ、少なくとも一方の収容部は開閉自在であり、かつ内面に防水性が付与されていてもよい（請求項２）。
【００１０】
上記リュックサックにおいて、前記後壁部に、保冷剤又はカイロを出し入れ自在な温調用ポケットが設けられていてもよい（請求項３）。そして、この場合、前記薄型ルームは、前記後壁部から該後壁部の前方にある仕切り壁部まで延び、前記厚型ルームは、前記薄型ルームの前方に配され、前記穴あきポケットと前記温調用ポケットとは、背面視において少なくとも一部が重なるように配されていてもよい（請求項４）。さらに、この場合、前記穴あきポケットは前記仕切り壁部の後面に設けられていてもよい（請求項５）。
【００１１】
上記リュックサックが、前記穴あきポケットの前記奥側部に一端側が接続され、他端側に連結部が設けられた抜け止め片と、前記穴あきポケットの前記手前側部に設けられ、前記連結部が着脱可能に連結される被連結部とを有していてもよい（請求項６）。
【００１２】
上記リュックサックにおいて、前記穴あきポケットは、上方に開放され、かつ、前記薄型ルームの上部に設けられていてもよい（請求項７）。
【００１３】
上記リュックサックにおいて、前記厚型ルームの下方に、下層ルームが設けられていてもよい（請求項８）。
【００１４】
上記リュックサックにおいて、前記厚型ルームの左右の何れか一方又は両方の内外下部に、哺乳瓶やペットボトル等の筒状体を上側から差し込んで縦向きに収容可能なサイドポケットが設けられていてもよい（請求項９）。
【００１５】
上記リュックサックにおいて、二本の肩ベルトのそれぞれ表面に、係止用の環状部材が設けられていてもよい（請求項１０）。
【発明の効果】
【００１６】
本願発明では、衛生面及び利便性の向上を図ることのできるリュックサックが得られる。
【００１７】
すなわち、本願の各請求項に係る発明のリュックサックでは、二枚貝状に開くことが可能で厚型ルームより前後幅の小さい薄型ルーム内に取出し口付き包装体入りシートを収容するための穴あきポケットを設けたことにより、この薄型ルームにおいて穴あきポケットが設けられた部分の前後幅を、穴あきポケットに収容する取出し口付き包装体入りシート以外の荷物を詰め込めない程度に小さくしてあれば、薄型ルームを二枚貝状に大きく開くだけで他の荷物に邪魔されることなく穴から包装体シートを手早く取り出すことが可能となり、利便性を高めることができる。
【００１８】
また、仮に袋体の内部空間を前後に均等に分けると直立させることが困難となるが、本発明のリュックサックでは厚型ルームと薄型ルームとに分けたことにより、厚型ルームの部分でしっかりとリュックサック（袋体）を直立させることが容易となるので、薄型ルームを二枚貝状に大きく開く際に占めるスペースが小さくてよく、この点でも利便性を高めることができる。
【００１９】
請求項２に係る発明のリュックサックでは、穴あきポケットには、おむつ替えに使用する取出し口付き包装体入りシートを収容し、開閉自在で内面に防水性が付与された一方の収容部には、使用後のおむつや湿潤シート（お尻拭き）などのおむつ替え後に生じるごみを収容し、他方の収容部には使用前のおむつを収容しておくことにより、おむつ替えの際には薄型ルームのみを開閉すればよく、哺乳瓶や着替え等を薄型ルーム以外に収容するようにすれば、衛生面の向上を図ることが容易となる。しかも、一般に、おむつ替えが必要な乳幼児を連れての外出時に持ち運びが必要となる荷物は多いが、おむつ替え自体に使用する物品は限られているので、本発明のように薄型ルームを厚型ルームよりもコンパクトにしておくことにより、多くの荷物を衛生的に保つことができる。
【００２０】
請求項３に係る発明のリュックサックでは、例えば、気温の上がる時期（夏期等）には、温調用ポケットに保冷剤を収容し、気温の下がる時期（冬期等）には、温調用ポケットにカイロを収容することにより、各時期においてリュックサックを快適に背負うことが可能となる。
【００２１】
請求項４に係る発明のリュックサックでは、温調用ポケットに収容した保冷剤又はカイロによる温調効果が穴あきポケットに収容した取出し口付き包装体入りシートにも及ぶことになり、例えば取出し口付き包装体入りシートがお尻拭きである場合には、乳幼児のおむつ替えの際に乳幼児のお尻を夏期には冷えたシートで、冬期には温まったシートで拭くことができ、お尻を拭かれる乳幼児に心地よさを与え、ひいては、乳幼児がお尻を拭かれることを嫌がらなくなっておむつ替えの労力の軽減を図ることも可能となる。
【００２２】
請求項５に係る発明のリュックサックでは、穴あきポケットが仕切り壁部の後面に設けられ、穴あきポケットに収容された取出し口付き包装体入りシートの取出し口が穴を通して背面側、つまり温調用ポケット側に向くことになり、取出し口に近いシートほど、温調用ポケットに収容された保冷剤又はカイロによって効率よく冷却又は加熱されることになるので、上記温調効果が優れたものとなり、しかも、この温調効果は穴あきポケットを設けるルームを薄型ルームとしてあることにより、一層高まることになる。
【００２３】
請求項６に係る発明のリュックサックでは、穴あきポケットに収容した取出し口付き包装体入りシートが穴あきポケットから抜け落ちてしまうことを、抜け止め片の連結部を被連結部に連結しておくことによって防止することができる。
【００２４】
請求項７に係る発明のリュックサックでは、薄型ルームをその下部側まで開けず、上部のみを開けるだけで、穴あきポケットに対する取出し口付き包装体入りシートの出し入れや、穴に露出した取出し口付き包装体入りシートの取出し口からのシートの取出しを容易に行うことができる。
【００２５】
請求項８に係る発明のリュックサックでは、厚型ルームとは別に下層ルームを設けたことにより、荷物の整理が行い易くなる上、下層ルームに例えばケープやブランケット等の荷物を収容しておけば、それだけ袋体をより安定して自立させることが容易となる。
【００２６】
請求項９に係る発明のリュックサックでは、安定して自立し易くした袋体の厚型ルームのサイドポケットに哺乳瓶、水筒やペットボトル等の液体入り容器を縦向きに収容すれば、斯かる容器の蓋の閉まり方がたとえ不完全であっても内容物が零れ難くなるので、衛生面の向上を図ることができる。しかも、液体入りの容器は重量があり、この容器をサイドポケットに収容することにより、厚型ルーム（袋体）の自立安定性が高まり得る。
【００２７】
請求項１０に係る発明のリュックサックでは、環状部材に、例えばケープやケープに繋がったフック等を係止することにより、抱いた乳児をケープで包むことが可能となる。
【図面の簡単な説明】
【００２８】
【図１】（Ａ）及び（Ｂ）は、本発明の一実施の形態に係るリュックサックの構成を概略的に示す正面図及び背面図である。
【図２】（Ａ）及び（Ｂ）は、前記リュックサックの斜視図及び側面図である。
【図３】（Ａ）及び（Ｂ）は、前記リュックサックの厚型ルームの内壁前面及び内壁後面の構成を概略的に示す図である。
【図４】（Ａ）及び（Ｂ）は、前記リュックサックの薄型ルームの内壁前面及び内壁後面の構成を概略的に示す図である。
【図５】（Ａ）及び（Ｂ）は、前記リュックサックのマルチストラップの構成を概略的に示す正面図及び説明図である。
【図６】本発明のリュックサックの試作品を前から撮影した写真である。
【図７】前記試作品を後ろから撮影した写真である。
【図８】前後二室を開放した状態の前記試作品を横から撮影した写真である。
【図９】前後二室を開放した状態の前記試作品を斜め前から撮影した写真である。
【図１０】前記試作品の開放した状態の厚型ルームを撮影した写真である。
【図１１】開放した状態の前記厚型ルームの一部を撮影した写真である。
【図１２】前記試作品の開放した状態の薄型ルームを撮影した写真である。
【図１３】前記薄型ルームの後面の一部を撮影した写真である。
【図１４】下層ルームを開放した状態の前記試作品を斜め前から撮影した写真である。
【図１５】前記試作品の背面の上部を撮影した写真である。
【図１６】前記試作品の背面の下部を撮影した写真である。
【発明を実施するための形態】
【００２９】
本発明の実施の形態について図面を参照しながら以下に説明する。
【００３０】
図１〜図５は、一実施例に係るリュックサックの構成を概略的に示す図であり、図６〜図１６は、リュックサックの試作品の写真である。そして、後者（試作品）は大まかには前者（一実施例）に対応しているので、以下では、分かり易さのために、前者につき、後者の写真をも参照しながら説明する。なお、両者の相違点については、後者が前者の変形例を示しているものと理解されたい。
【００３１】
図１〜図５に係る本例のリュックサックは、図１（Ａ）、（Ｂ）及び図２（Ａ）、（Ｂ）に示すように、袋体（サック部）１と、袋体１の背面側に延び、袋体１を背負うための二本の肩ベルト２と、袋体１の上部に設けられた把手３とを具備する。
【００３２】
また、袋体１の内部空間は、上下二層に分かれ、上層はさらに前後二室に分かれているのであって、具体的には、袋体１の下層に位置する下層ルーム４（図２（Ａ）、図６参照）と、袋体１の上層前側に位置する厚型ルーム５（図９〜図１１参照）と、袋体１の上層後ろ側に位置する薄型ルーム６（図２（Ｂ）、図１２参照）とに分かれている。なお、厚型ルーム５及び薄型ルーム６の上下幅は下層ルーム４の上下幅より大きく、厚型ルーム５と薄型ルーム６の上下幅は略同一である。
【００３３】
本例のリュックサックは、下層ルーム４にケープやブランケット等を収容し、厚型ルーム５に哺乳瓶や着替え等を収容し、薄型ルーム６に使い捨てのおむつやおしり拭き用シート等を収容することを想定したものである。
【００３４】
このように、袋体１の内部空間を上下二層に分けるために、袋体１内には、その底壁７から上方に間隔をおいて底壁７に略平行に延びる境界壁８が設けられ（図９、図１１、図１４参照）、また、袋体１の上層を前後二室に分けるために、リュックサックを背負った使用者の背中に接するように背面側に設けられた後壁部９と、その反対側に設けられた前壁部１０との間に、後壁部９と略平行に延びる仕切り壁部１１が設けられている（図２（Ｂ）、図９〜図１２参照）。
【００３５】
薄型ルーム６は、その周囲に沿って設けられたファスナー１２により、薄型ルーム６を構成する前側壁（本例では仕切り壁部１１）と後側壁（本例では後壁部９）とを二枚貝状に開くことが可能であり（図２（Ａ）及び（Ｂ）、図８、図９、図１２参照）、かつ、厚型ルーム５より前後幅が小さくなるように構成されている。すなわち、仕切り壁部１１は前壁部１０より後壁部９に近い位置に配されている。
【００３６】
また、薄型ルーム６内には、例えば市販の取出し口付き包装体入りシート（具体的にはお尻拭き、手口拭き、ウェットティッシュ等の使い捨てタイプの湿潤シートが入っている包装体ないし包装体入りシート）を収容するための穴あきポケット１３（図４（Ａ）、図１２参照）が設けられ、穴あきポケット１３を構成する互いに離間可能な手前側部１４及び奥側部１５のうち、手前側部１４に、穴あきポケット１３に収容した取出し口付き包装体入りシートの取出し口を露出させるための穴１６が設けられている。なお、本例では、薄型ルーム６の内壁前面（仕切り壁部１１の後面）に穴あきポケット１３を設けてある。
【００３７】
このように、本例では、二枚貝状に開くことが可能で厚型ルーム５より前後幅の小さい薄型ルーム６内に取出し口付き包装体入りシートを収容するための穴あきポケット１３を設けたことにより、この薄型ルーム６において穴あきポケット１３が設けられた部分（本例では上部）の前後幅を、穴あきポケット１３に収容する取出し口付き包装体入りシート以外の荷物を詰め込めない程度に小さくしてあれば、薄型ルーム６を二枚貝状に大きく開くだけで他の荷物に邪魔されることなく穴１６から包装体シートを手早く取り出すことが可能となり、利便性を高めることができる。
【００３８】
また、仮に袋体１の内部空間を前後に均等に分けると直立させることが困難となるが、本例では厚型ルーム５と薄型ルーム６とに分けたことにより、厚型ルーム５の部分でしっかりとリュックサック（袋体１）を直立させることが容易となるので、薄型ルーム６を二枚貝状に開く際に占めるスペースが小さくてよく、この点でも利便性を高めることができる。
【００３９】
しかも、本例では、厚型ルーム５とは別に下層ルーム４を設けたことにより、荷物の整理が行い易くなる上、下層ルーム４に例えばケープやブランケット等の荷物を収容しておけば、それだけ袋体１をより安定して自立させることが容易となる。
【００４０】
ところで、本例では、図４（Ａ）に示すように、穴あきポケット１３の奥側部１５に一端側が接続され、他端側に連結部１７が設けられた抜け止め片１８と、穴あきポケット１３の手前側部１４に設けられ、連結部１７が着脱可能に連結される被連結部１９とを有する。なお、本例では、被連結部１９は手前側部１４の外面（後面）側に設けられている。また、連結部１７と被連結部１９とは、例えばスナップボタンによって構成可能である。
【００４１】
このように抜け止め片１８と被連結部１９とを設けた本例では、穴あきポケット１３に収容した取出し口付き包装体入りシートが穴あきポケット１３から抜け落ちてしまうことを抜け止め片１８の連結部１７を被連結部１９に連結しておくことによって防止することができる。なお、抜け止め片１８の長さは、取出し口付き包装体入りシートを穴あきポケット１３内に好適に保持することができるように適宜に設定すればよい。
【００４２】
そして、本例では、穴あきポケット１３は、上方に開放され、かつ、薄型ルーム６の上部に設けられているので、ファスナー１２をその下部側まで開けず、上部のみを開けるだけで、穴あきポケット１３に対する取出し口付き包装体入りシートの出し入れや、穴１６に露出した取出し口付き包装体入りシートの取出し口からのシートの取出しを容易に行うことができる。
【００４３】
また、上方に開放された穴あきポケット１３の上端から薄型ルーム６の上端までの最大距離ｄ（図４（Ａ）参照）を、例えば穴あきポケット１３の上下幅の半分以下としてあれば、たとえ抜け止め片１８の連結部１７が被連結部１９に連結されていない状態で、ファスナー１２を閉じた状態のリュックサックが上下逆さになったとしても、穴あきポケット１３から取出し口付き包装体入りシートが抜け落ち難くなるので、この点でも利便性を高めることができ、ひいては抜け止め片１８を無くすことも可能となる。具体的には、穴あきポケット１３を横２１ｃｍ、縦１５ｃｍとする場合に、穴あきポケット１３の上端から薄型ルーム６の上端までの最大距離を３ｃｍ程度とすることが考えられる。
【００４４】
なお、近年は、お尻拭き等の湿潤シートが収容された取出し口付き包装体入りシートについては、その取出し口に開閉自在に設けられたフラップを外側から露出可能に覆うように着脱自在に取り付けられる取出し口付き包装体用蓋が市販されており（例えば株式会社テクセルジャパン製の商品名ビタット）、こうした取出し口付き包装体用蓋を手前側部１４の外側から穴あきポケット１３内に収容された取出し口付き包装体入りシートに貼り付けできるように穴１６の大きさを設定してもよい。具体的には、穴１６を縦７ｃｍ程度、横１１ｃｍ程度とすることが考えられる。
【００４５】
また、本例では、図４（Ａ）及び（Ｂ）、図１２に示すように、薄型ルーム６内には穴あきポケット１３の他に二つの収容部２０，２１が設けられ、一方の収容部２０は開閉自在であり、かつ内面に防水性が付与されている。
【００４６】
詳述すると、一方の収容部２０は、後壁部９の前面下部に設けられ、その入り口に設けられたファスナー２２によって開閉自在であり、使用済みの複数枚のおむつ等を収容可能に構成されたポケットであり、収容部２０の内面には防水性を有する生地（ポリ塩化ビニル）が使用されている（図１３も参照）。そのため、例えば使用済みのおむつや湿潤シート等を収容部２０に収容し、そのおむつ等の汚れが収容部２０の内面に付着しても容易に拭き取ることができ、しかも、ファスナー２２を閉じることにより、収容部２０内に収容した使用済みのおむつ等の臭いをある程度封じ込めることができる。
【００４７】
他方の収容部２１は、仕切り壁部１１の後面下部（つまり穴あきポケット１３の下方）に設けられ、上方に開口したポケットであり、例えば使用前の複数枚のおむつ等を収容可能に構成されている。
【００４８】
このように、本例では、おむつ替えに使用する取出し口付き包装体入りシートやおむつに加え、使用後のおむつや湿潤シートなど、おむつ替え後に生じるごみをも収容可能なスペースとして薄型ルーム６を使用可能に構成したことにより、おむつ替えの際には薄型ルーム６のみを開閉すればよく、哺乳瓶や着替え等を薄型ルーム６以外に収容するようにすれば、衛生面の向上を図ることが容易となる。しかも、一般に、おむつ替えが必要な乳幼児を連れての外出時に持ち運びが必要となる荷物は多いが、おむつ替え自体に使用する物品は限られているので、本例のように薄型ルーム６を厚型ルーム５よりもコンパクトにしておくことにより、多くの荷物を衛生的に保つことができる。
【００４９】
本例では、図１（Ｂ）、図７、図１５に示すように、後壁部９の背面をメッシュ生地によって構成し、通気性を向上させているのに加え、その上部に、保冷剤又はカイロを出し入れ自在な温調用ポケット２３を設けてある。すなわち、気温の上がる時期（夏期等）には、温調用ポケット２３に保冷剤を収容し、気温の下がる時期（冬期等）には、温調用ポケット２３にカイロを収容することにより、各時期においてリュックサックを快適に背負うことが可能となる。なお、袋体１の外面において、背面、底面及び下層ルーム４の周囲面以外の部分は、キルティングとしてある。
【００５０】
その上、薄型ルーム６は後壁部９から後壁部９の前方にある仕切り壁部１１まで延び、厚型ルーム５は薄型ルーム６の前方に配されている本例において、後壁部９に設ける温調用ポケット２３と仕切り壁部１１に設ける穴あきポケット１３とを、背面視において少なくとも一部が重なるように配すれば、温調用ポケット２３に収容した保冷剤又はカイロによる温調効果が穴あきポケット１３に収容した取出し口付き包装体入りシートにも及ぶことになり、例えば取出し口付き包装体入りシートがお尻拭き（お尻拭きシート）である場合には、乳幼児のおむつ替えの際に乳幼児のお尻を夏期には冷えたシートで、冬期には温まったシートで拭くことができ、お尻を拭かれる乳幼児に心地よさを与え、ひいては、乳幼児がお尻を拭かれることを嫌がらなくなっておむつ替えの労力の軽減を図ることも可能となる。
【００５１】
特に、穴あきポケット１３が仕切り壁部１１の後面に設けられ、穴あきポケット１３に収容された取出し口付き包装体入りシートの取出し口が穴１６を通して背面側、つまり温調用ポケット２３側に向く本例では、取出し口に近いシートほど、温調用ポケット２３に収容された保冷剤又はカイロによって効率よく冷却又は加熱されることになるので、上記温調効果が優れたものとなり、しかも、この温調効果は穴あきポケット１３を設けるルームを薄型ルーム６としてあることにより、一層高まることになる。このことから、背面視において調温用ポケット２３が穴あきポケット１３の穴１６になるべく大きく重なるようにしてあるのが好ましい。
【００５２】
また、後壁部９の背面下部には、図１（Ｂ）、図７、図１６に示すように、温調用ポケット２３よりも大きい大型ポケット２４が設けられ、リュックサックを背負った状態でも大型ポケット２４への物の出し入れを行えるようにこの大型ポケット２４の入口は後壁部９背面の左右両端付近の何れかに設けられ、ファスナー２５により開閉自在としてある。
【００５３】
図１（Ａ）、図２（Ａ）及び（Ｂ）、図３（Ｂ）、図６、図１０、図１１等に示すように、厚型ルーム５の左右の何れか一方又は両方（本例では両方）の内外下部に、哺乳瓶、水筒やペットボトル等の筒状体を上側から差し込んで縦向きに収容可能なサイドポケット２６ａ〜２６ｄが設けられている。すなわち、本例では、安定して自立し易くした袋体１の厚型ルーム５のサイドポケット２６ａ〜２６ｄに哺乳瓶、水筒やペットボトル等の液体入り容器を縦向きに収容すれば、斯かる容器の蓋の閉まり方がたとえ不完全であっても内容物が零れ難くなるので、衛生面の向上を図ることができる。しかも、液体入りの容器は重量があり、この容器をサイドポケット２６ａ〜２６ｄに収容することにより、厚型ルーム５（袋体１）の自立安定性が高まり得る。
【００５４】
また、図３（Ａ）に示すように、厚型ルーム５の前側壁（本例では前壁部１０）の後面下部には、ファスナー２７により開閉可能なメッシュポケット２８が設けられ、同図（Ｂ）に示すように、厚型ルーム５の後側壁（本例では仕切り壁部１１）の前面下部には、上方に開放された深型ポケット２９が設けられ、この深型ポケット２９はメッシュポケット２８よりも深く構成されている。
【００５５】
そして、図１（Ａ）に示すように、前壁部１０の前面下部には、ファスナー３０により開閉可能な前面ポケット３１が設けられている。
【００５６】
また、図１（Ａ）、図８、図９に示すように、前壁部１０の周囲（下端を除く）に沿ってファスナー３２が設けられ、これにより、前壁部１０は二枚貝状に開くように構成されている。
【００５７】
一方、図１（Ａ）、図２（Ａ）及び（Ｂ）、図６、図１３、図１４に示すように、袋体１の外面において背面（後壁部９）を除いた部分には、境界壁８に沿ってファスナー３３が設けられ、これにより、下層ルーム４が開閉自在となっている。なお、ファスナー３３は、袋体１の背面を除いた部分に設けられている。
【００５８】
他方、図５（Ａ）及び（Ｂ）、図６に示すように、外側のサイドポケット２６ｃ、２６ｄの少なくとも一方には、その内外に出し入れ可能なマルチストラップ３４が設けられている。このマルチストラップ３４は、先端部に連結部３４ａを有し、そこから少し基端側に移動したところに連結部３４ａが着脱自在に連結される被連結部３４ｂが設けられ、連結部３４ａを被連結部３４ｂに連結することによりリング部分が形成され、このリング部分にキーホルダー等を係止可能である。なお、連結部３４ａと被連結部３４ｂとは、例えばスナップボタンによって構成可能である。
【００５９】
また、図１（Ｂ）に示すように、二本の肩ベルト２のそれぞれ表面に、係止用の環状部材（本例ではＤ環）３５が設けられている。この環状部材３５には、例えばケープやケープに繋がったフック等を係止することにより、抱いた乳児をケープで包むことが可能である。
【００６０】
さらに、図１（Ｂ）に示すように、二本の肩ベルト２のそれぞれ下部には、ワンタッチで分離結合できるバックル３６が設けられており、例えばリュックサックを背負った状態で各バックル３６を分離すれば、二本の肩ベルト２から腕を抜くことなくリュックサックを降ろすことができる。
【００６１】
なお、本発明は、上記の実施の形態に何ら限定されず、本発明の要旨を逸脱しない範囲において種々に変形して実施し得ることは勿論である。例えば、以下のような変形例を挙げることができる。
【００６２】
上記の例では、後壁部９の上部に把手３を設けてあるが、これに限らず、例えば後壁部９と前壁部１０とを繋ぐ中間壁部３７（図２（Ａ）及び（Ｂ）参照）や前壁部１０の上部に把手３を設けるようにしてもよい。
【００６３】
上記の例では、袋体１の内部空間を上下二層に分け、下層ルーム４を設けているが、上下二層に分けず、下層ルーム４を設けなくてもよいし、逆に上下三層以上に分けるようにしてもよい。
【００６４】
上記の例では、厚型ルーム５を前側、薄型ルーム６を後ろ側としているが、前後逆にしてもよい。
【００６５】
上記の例では、薄型ルーム６を構成する後壁部９の周囲と仕切り壁部１１の周囲とにわたってファスナー１２を設け、後壁部９と仕切り壁部１１とを繋ぐ側壁を設けていないが、斯かる側壁を設けてもよい。
【００６６】
上記の例では、穴あきポケット１３を薄型ルーム６の内壁前面（仕切り壁部１１の後面）に設けているが、これに限らず、薄型ルーム６の内壁後面（後壁部９の前面）に設けてもよい。
【００６７】
上記の例では、温調用ポケット２３を後壁部９の後面に設けているが、これに代えて、あるいはこれに加えて、後壁部９の前面に温調用ポケット２３を設けてもよい。
【００６８】
なお、本明細書で挙げた変形例どうしを適宜組み合わせてもよいことはいうまでもない。
【符号の説明】
【００６９】
１    袋体
２    肩ベルト
３    把手
４    下層ルーム
５    厚型ルーム
６    薄型ルーム
７    底壁
８    境界壁
９    後壁部
１０    前壁部
１１    仕切り壁部
１２    ファスナー
１３    穴あきポケット
１４    手前側部
１５    奥側部
１６    穴
１７    連結部
１８    抜け止め片
１９    被連結部
２０    収容部
２１    収容部
２２    ファスナー
２３    温調用ポケット
２４    大型ポケット
２５    ファスナー
２６ａ〜ｄ  サイドポケット
２７    ファスナー
２８    メッシュポケット
２９    深型ポケット
３０    ファスナー
３１    前面ポケット
３２    ファスナー
３３    ファスナー
３４    マルチストラップ
３４ａ  連結部
３４ｂ  被連結部
３５    環状部材
３６    バックル
３７    中間壁部
ｄ    距離
【図１】
2020080903.tif 000003
【図２】
2020080903.tif 000004
【図３】
2020080903.tif 000005
【図４】
2020080903.tif 000006
【図５】
2020080903.tif 000007
【図６】
2020080903.tif 000008
【図７】
2020080903.tif 000009
【図８】
2020080903.tif 000010
【図９】
2020080903.tif 000011
【図１０】
2020080903.tif 000012
【図１１】
2020080903.tif 000013
【図１２】
2020080903.tif 000014
【図１３】
2020080903.tif 000015
【図１４】
2020080903.tif 000016
【図１５】
2020080903.tif 000017
【図１６】
2020080903.tif 000018